(57)【要約】【課題】レンズ全長及び重量を増加させず、安定した挙動で遮光を行うことを可能とするテレビレンズを提供すること。【解決手段】鏡筒と、該鏡筒に対して、光軸方向へ移動する複数の光学群を有し、該鏡筒には、各光学群の回転を規制し、且つ、光学群を光軸方向へ摺動させる直線溝を具備し、該鏡筒には、各光学群に有する曲線カムフォロアを規制する為のカム溝を具備したカム部材を有し、該光学群には、他の光学群の鏡筒との干渉を避ける為の切り欠きを有するズームレンズであって、該切り欠きを遮蔽し光軸方向へ移動する遮光部材を有し、該カム部材には、該遮光部材に有する曲線カムフォロアを規制するためのカム溝を具備し、広角側で遮光部材の曲線カムフォロアがカム部材から外れることを特徴とする。【選択図】図１
2016048321.tif 000002
【特許請求の範囲】
【請求項１】
鏡筒と、該鏡筒に対して光軸方向へ移動する複数の光学群を有し、
該鏡筒には、前記光学群の回転を規制し、且つ、前記光学群を光軸方向へ摺動させる直線溝を具備し、
該鏡筒には、前記光学群に有する曲線カムフォロアを規制する為のカム溝を具備したカム部材を有し、
前記光学群には、他の光学群の鏡筒との干渉を避ける為の切り欠きを有するズームレンズであって、
該切り欠きを遮蔽し光軸方向へ移動する遮光部材を有し、
該カム部材には、該遮光部材に有する曲線カムフォロアを規制するためのカム溝を具備し、
広角側で該遮光部材の曲線カムフォロアがカム部材から外れることを特徴とするレンズ装置。
【請求項２】
前記直線溝に前記遮光部材を光軸方向へ付勢する付勢部材を具備するズームレンズであって、該付勢部材によって前記遮光部材と前記鏡筒は係合されることを特徴とする請求項１に記載のレンズ装置。
【請求項３】
前記直線溝に配置される直線カムフォロアを具備する遮光部材であって、該直線カムフォロアによって、前記遮光部材の回転を規制することを特徴とする請求項１又は請求項２に記載のレンズ装置。
【請求項４】
前記カム部材は前記光学群を挿脱する直線カム溝を有し、該直線カム溝が前記遮光部材に有する曲線カムフォロアを規制することを特徴とする請求項１乃至請求項３の何れか一項に記載のレンズ装置。
【請求項５】
前記遮光部材を規制するカム溝は端面に斜面形状を有し、ズーミング中に前記遮光部材の曲線カムフォロアが該斜面形状に接触し、遮光部材の曲線カムフォロアがカム部材から挿脱することを特徴とする請求項１乃至請求項４の何れか一項に記載のレンズ装置。
【発明の詳細な説明】
【技術分野】
【０００１】
本発明は、レンズ装置に関する。
【背景技術】
【０００２】
屋外撮影用テレビレンズでは、高倍率で撮影を行うために、ズーム時の変倍レンズと補正レンズの移動範囲を長く設定する必要がある。このため、変倍レンズと補正レンズが最も接近した位置に移動した時に、変倍レンズを保持する移動枠と補正レンズを保持する移動枠が干渉する場合がある。そこで、各移動枠に対し、切り欠きを複数形成し、その切り欠きに相手側の移動枠を逃がすことで移動枠同士の干渉を防いでいる。
【０００３】
特許文献１では、移動枠に設けられた切り欠きを遮蔽する遮光部材と移動枠に付けた磁石により、移動枠の移動に伴って遮光部材を光軸方向へ動かす機構が開示されている。また、特許文献２では、円筒カムに遮光部材を駆動するためのカムを設け、円筒カムの回転により遮光部材が円筒カムと連動して光軸方向へ摺動する機構が開示されている。
【先行技術文献】
【特許文献】
【０００４】
【特許文献１】特開平１０−２６８１７４号公報
【特許文献２】特開２００６−２１５３９４号公報
【発明の概要】
【発明が解決しようとする課題】
【０００５】
しかしながら、切り欠きを有する移動枠を広角側へ移動させると、撮影光ではない光（以後、迷走光と表記）が切り欠きから変倍レンズを通さずレンズ内部に入射し、ゴーストを発生してしまう恐れがある。上述の特許文献１に開示された従来技術では、遮光部材の位置を決めていないため、遮光部材の位置が安定せず、ズーミング中に遮光部材がテレビレンズ内部に接触する恐れがある。また、上述の特許文献２に開示された従来技術ではズーミング全域において遮光部材を円筒カムで動かすため、変倍作用に必要な円筒カム長に加え、遮光部材用のカムリフトを設ける必要があり、円筒カム全長が伸びてレンズ全長が増加するとともに、重量が増加してしまう。
【０００６】
そこで、本発明の目的は、レンズ全長と重量を増加させず安定した挙動で遮光を行うことを可能とするレンズ装置を提供することにある。
【課題を解決するための手段】
【０００７】
上記目的を達成するために本発明は、鏡筒と、該鏡筒に対して、光軸方向へ移動する複数の光学群を有し、該鏡筒には、各光学群の回転を規制し、且つ、光学群を光軸方向へ摺動させる直線溝を具備し、該鏡筒には、各光学群に有する曲線カムフォロアを規制する為のカム溝を具備したカム部材を有し、該光学群には、他の光学群の鏡筒との干渉を避ける為の切り欠きを有するズームレンズであって、該切り欠きを遮蔽し光軸方向へ移動する遮光部材を有し、該カム部材には、該遮光部材に有する曲線カムフォロアを規制するためのカム溝を具備し、広角側で遮光部材の曲線カムフォロアがカム部材から外れることを特徴とする。
【発明の効果】
【０００８】
本発明によれば、レンズ全長と重量を増加させることなく迷走光を遮光するレンズ装置を提供することができる。
【図面の簡単な説明】
【０００９】
【図１】実施例１における、ズーム部５のＢ−Ｂ断面図である。
【図２】ズーム部５の全体を示す、ズーム部５の正面図である。
【図３】ズーム部５のＡ−Ａ断面図である。
【図４】ズーム部５のＣ−Ｃ断面図である。
【図５】円筒カム６の展開図である。
【図６】広角側にズーミングしたズーム部５のＢ−Ｂ断面図である。
【図７】望遠側にズーミングしたズーム部５のＢ−Ｂ断面図である。
【図８】実施例２における、ズーム部５５の断面図である。
【図９】（ａ）は実施例２における、付勢部材のＤ−Ｄ断面図、（ｂ）は実施例２における、付勢部材のＥ−Ｅ断面図である。
【発明を実施するための形態】
【００１０】
以下に、本発明の好ましい実施の形態を、添付の図面に基づいて詳細に説明する。図１乃至図９は、本発明の実施形態にかかわるテレビレンズである。
【００１１】
（実施例１）
以下、図１から図７を参照して、本発明の第１の実施例による、テレビレンズについて説明する。まず、図１から図５を用いてズームレンズ群１、２、３と遮光部材４の構造について説明する。尚、ズームレンズ群１、２、３の構成は同じであるため、以下の説明では、ズームレンズ群１について説明する。
【００１２】
撮影レンズのズーム部５は外周にカム溝を有する円筒カム６と曲線カムフォロア７、直線カムフォロア８を利用する外カム機構を有し、複数のズームレンズ群１、２、３を光軸１００に沿った方向へ移動させ、変倍を行う。
【００１３】
尚、以下では、ズームレンズ群１とズームレンズ群２の間隔が最大となった位置を広角位置と表記し、同間隔が最小となった位置を望遠位置と表記する。円筒カム６は、円筒形状を有し、その外周にはズームレンズ群１，２，３の軌跡であるカム溝６ａ，６ｂ，６ｃと遮光部材４の軌跡であるカム溝６ｄが形成されている。尚、ズームレンズ群１の軌跡のカム溝を６ａとし、ズームレンズ群２の軌跡のカム溝を６ｂとし、ズームレンズ群３の軌跡のカム溝を６ｃとする。
【００１４】
ズームレンズ群１、２、３と遮光部材４は曲線カムフォロア７を有し、円筒カム６に設けられたカム溝６ａ、６ｂ、６ｃ、６ｄの軌跡に沿って光軸１００方向へ摺動する。遮光部材４のカム溝６ｄはズームレンズ群１、２、３に有する曲線カムフォロア７を円筒カム６から挿脱するための溝と兼用している。遮光部材４のカム溝６ｄはズームレンズ群１のカム溝６ａの傾きθよりも大きな傾きを有し、ズーミング中にズームレンズ群１と離れながら摺動する。
【００１５】
さらに、遮光部材４のカム溝６ｄは直線溝６ｅを有し、ズーミング中にズームレンズ群２とズームレンズ群３に接触しない位置に遮光部材４の位置を規制する。また、円筒カム６上のカム溝６ｄの入り口は斜面形状６ｆを有している。円筒カム６は、円筒カム６の中心軸２００方向の前後にカム軸９ａ，９ｂを有し、ベアリング１０ａ，１０ｂを介して中心軸２００の周りに回転可能に、メイン鏡筒１２に保持される。カム軸９ａの先端にはプーリー１１が固定され、図示していないタイミングベルトにより、ズーム制御用モーターや手動操作用ハンドルなどの回転動力発生部に接続されている。
【００１６】
ズームレンズ群１は直線カムフォロア８を光軸１００周りの円周上三か所に有し、メイン鏡筒１２に同じく光軸１００周りの円周上三か所に設けられた直線溝１３に係合し、光軸１００周りの回転を規制されている。同じく、遮光部材４は直線カムフォロア８を光軸１００周りの円周上に有し、ズームレンズ群１では使用していない直線溝１３に係合し、光軸１００周りの回転を規制されている。
【００１７】
本実施例では、遮光部材４の直線カムフォロア８を円周上三か所に記載しているがその限りでなく、遮光部材４の光軸１００周りの回転を規制出来れば良いものとする。直線カムフォロア８は、直線溝１３に沿って光軸１００方向に摺動可能に構成されている。また、広角位置となった時に、遮光部材４に設けられる直線カムフォロア８は直線溝１３から外れないように取り付けられている。以上より、ズームレンズ群１と遮光部材４は光軸１００周りの回転を規制された状態で光軸１００方向に摺動可能となる。
【００１８】
ズームレンズ群１は、ズームレンズ群１、２、３が望遠位置となった時に、ズームレンズ群２、３との干渉を避ける為の切り欠き１４が設けられる。遮光部材４はズームレンズ群１とメイン鏡筒１２の間に位置し、切り欠き１４を覆う形状を有する円筒形状である。遮光部材４とズームレンズ群１とが当接する面にゴム部材１５が設けられる。
【００１９】
また、遮光部材４には、ズームレンズ群１と遮光部材４の直線カムフォロア８が使用していない直線溝１３の内部にピン１６が設けられる。メイン鏡筒１２には、ピン１６が設けられた直線溝１３と同じ直線溝１３にバネストッパー１７が設けられる。さらに、矢印３００方向へ遮光部材４を付勢する力を有する引張りバネ１８がピン１６とバネストッパー１７の間に設けられる。
【００２０】
以上の構成において、ズーミング中の遮光部材４の移動について図１と図５、図６、図７を用いて説明する。円筒カム６の回転により、円筒カム６に設けられたカムリフト６ａの軌跡に沿って、ズームレンズ群１の曲線カムフォロア７が摺動し、ズームレンズ群１の光軸１００方向の位置を変化させる。ズームレンズ群１が広角位置となった時、遮光部材４はズームレンズ群１の端面に当接しつつ、遮光部材４の曲線カムフォロア７は円筒カム６から外れる。
【００２１】
この状態の際、バネ１８が遮光部材４を矢印３００方向へ付勢しているため、ズームレンズ群１の端面と当接した状態を維持する。広角位置から望遠位置へズーミングすると、ズームレンズ群１は円筒カム６のカムリフト６ａの軌跡に沿って、光軸方向へ移動する。遮光部材４もバネ１８に付勢され、ズームレンズ群１の端面に当接したまま、光軸１００方向へ移動する。遮光部材４の曲線カムフォロア７が円筒カム６の斜面形状６ｆに接触すると、斜面形状６ｆの傾きにより、遮光部材４はズームレンズ群１と離れつつ光軸１００方向へ移動する。
【００２２】
その後、ズームレンズ群１と遮光部材４は接触することなく、其々のカムリフト６ａ、６ｄの軌跡に沿って、光軸１００方向へ移動する。望遠位置から広角位置へズーミングする際は、上述した動きの逆となるため、説明を割愛する。
【００２３】
以上のように、本実施例によれば、遮光部材４の曲線カムフォロア７が円筒カム６から挿脱されることで、円筒カム６の全長をズームレンズ群１、２、３の軌跡分のみで規定出来るため、円筒カム６の重量増加を防げる。また、広角位置で遮光部材４がズームレンズ群１の切り欠き１４を遮蔽するため、迷走光を遮光することが出来る。さらに、遮光部材４をズームレンズ群１に結合しないため、ズームレンズ群１の重量増加に伴うズームトルク増加を抑制することが出来る。
【００２４】
さらに、遮光部材４の回転を規制する直線溝１３をズームレンズ群２、３の回転を規制する直線溝１３と兼用することで、余分な溝を切らずに済む。さらに、遮光部材４のカムリフト６ｄをズームレンズ群１、２、３を円筒カム６から挿脱する溝と兼用することで、余分な溝を切らずに済む。
【００２５】
（実施例２）
以下、図８と図９を参照して、本発明の第２の実施例による、テレビレンズについて説明する。尚、実施例１で記載した内容については説明を割愛する。図８は、本実施例におけるズーム部５５の断面図を示す。図９（ａ）は遮光部材４を付勢する付勢部材のＤ−Ｄ断面図を示し、図９（ｂ）は付勢部材のＥ−Ｅ断面図を示す。
【００２６】
メイン鏡筒１２には、ズームレンズ群１の直線カムフォロア８と遮光部材４の直線カムフォロア８が使用していない直線溝１３の内部にバネストッパー１９、２０が設けられる。ガイド棒２１はバネストッパー１９、２０に挟持される。圧縮バネ２３はガイド棒２１をガイドとし、バネストッパー１９、２０の間に設けられる。圧縮バネ２３が設けられる直線溝１３の位置に、ガイド棒２１と圧縮バネ２３とバネストッパー１９、２０とに接触しない位置に、ガイドバー２４は遮光部材４に固定される。リング板２２はバネストッパー２０と圧縮バネ２３の間に挟持される。
【００２７】
以上の構成において、ズームレンズ群１が広角位置となる時、ガイドバー２４がリング板２２と接触し、圧縮バネ２３を圧縮する。よって、遮光部材４には矢印３００方向の付勢力が加わる。尚、遮光部材４が光軸１００方向に移動する方法は実施例１と同様なため、説明を割愛する。
【００２８】
以上、本発明の好ましい実施形態について説明したが、本発明はこれらの実施形態に限定されず、その要旨の範囲内で種々の変形及び変更が可能である。
【符号の説明】
【００２９】
１  ズームレンズ群、２  ズームレンズ群、３  ズームレンズ群、４  遮光部材、
５  ズーム部、６  円筒カム、６ａ  ズームレンズ群１のカム溝、
６ｂ  ズームレンズ群２のカム溝、６ｃ  ズームレンズ群３のカム溝、
７  曲線カムフォロア、８  直線カムフォロア、１２  固定筒、１３  直線溝、
１４  切り欠き、１６  ピン、１７  バネストッパー、１８  引張りバネ、
１００  光軸、２００  円筒カム６の中心軸、３００  バネによる付勢方向
【図１】
2016048321.tif 000003
【図２】
2016048321.tif 000004
【図３】
2016048321.tif 000005
【図４】
2016048321.tif 000006
【図５】
2016048321.tif 000007
【図６】
2016048321.tif 000008
【図７】
2016048321.tif 000009
【図８】
2016048321.tif 000010
【図９】
2016048321.tif 000011